(57)【特許請求の範囲】
【請求項１】
セキュリティロック信号を記憶する記憶手段を有する機器、及び該機器とは別体に構成され前記記憶手段に記憶されたセキュリティロック信号を初期化するコマンドを内蔵するセキュリティロック解除冶具を有し、
前記機器に前記セキュリティロック解除冶具を接続し、前記コマンドを前記冶具から前記機器の検知記憶手段に送信することにより、セキュリティロックを解除するセキュリティロック解除システムであって、
前記セキュリティロック解除冶具は、セキュリティロック解除可能回数設定手段及び該設定された回数を記憶する回数記憶手段、及び前記コマンドが送信される度に解除可能回数が減算されて記憶された前記解除可能回数が０となった後は解除動作を停止する解除動作停止手段を有するセキュリティロック解除システムにおいて、
前記機器、および前記セキュリティロック解除冶具とは別体に構成され、前記セキュリティロック解除冶具に解除可能回数の初期値を設定するための回数設定ユニットと、前記セキュリティロック解除冶具に設けられ、前記回数設定ユニットを接続するための接続部とをさらに備え、
前記セキュリティロック解除可能回数設定手段は、前記接続部に前記回数設定ユニットが接続されている場合は、前記回数記憶手段に解除可能回数の初期値を設定する回数設定手段として機能することを特徴とする、セキュリティロック解除システム。
【請求項２】
前記セキュリティロック解除可能回数設定手段は前記回数設定ユニットから受けるべき電圧の組み合わせパターンを内蔵しており、前記回数設定ユニットから出力される電圧パターンが内蔵されたパターンと一致した場合に限り、回数設定手段として機能する、請求項１に記載のセキュリティロック解除システム。
【請求項３】
機器に記憶されたセキュリティロック信号を初期化するコマンドを内蔵し、該コマンドを前記機器に出力することによって、前記機器のセキュリティロックを解除する、セキュリティロック解除冶具であって、
セキュリティロック解除可能回数設定手段、該設定された回数を記憶する回数記憶手段、及び前記コマンドを出力する度に解除可能回数が減算され記憶された前記解除可能回数が０となった後は解除動作を停止する解除動作停止手段を有するセキュリティロック解除冶具において、
前記セキュリティロック解除冶具は、該セキュリティロック解除冶具とは別体に構成され、該セキュリティロック解除冶具に解除可能回数の初期値を設定するための回数設定ユニットを接続するための接続部とをさらに備え、
前記セキュリティロック解除可能回数設定手段は、前記接続部に前記回数設定ユニットが接続されている場合は、前記回数記憶手段に解除可能回数の初期値を設定する回数設定手段として機能することを特徴とする、セキュリティロック解除冶具。
【請求項４】
前記セキュリティロック解除可能回数設定手段は前記回数設定ユニットから受けるべき電圧の組み合わせパターンを内蔵しており、前記回数設定ユニットから出力される電圧パターンが内蔵されたパターンと一致した場合に限り、回数設定手段として機能する、請求項３に記載のセキュリティロック解除システムのセキュリティロック解除冶具。
【請求項５】
前記セキュリティロック解除冶具はスイッチを有し、該スイッチを操作することによりセキュリティロック解除可能回数を設定する、請求項３又は４に記載のセキュリティロック解除システムのセキュリティロック解除冶具。
【発明の詳細な説明】
【０００１】
【発明の属する技術分野】
本発明は、オーディオ機器等のようにメモリＩＣ等のメモリを使用してその機能を制限できるすべての機器に用いることができる、セキュリティシステム、特にセキュリティロック解除システム及びセキュリティロック解除システムに用いるセキュリティロック解除治具に関する。
【０００２】
【従来の技術】
車載用のオーディオ機器の車両からの盗難を防止するため、セキュリティシステムが設けられている。従来の車載用のオーディオ機器のセキュリティシステムは，通常、機器の前面パネルの種々の数字キーを利用して数桁のユーザ暗証コードを手操作により入力し、機器側で暗証コードが正しければ機器が起動する。また、自動車よりオーディオ機器が盗難された場合、先ず機器が自動車より外され、再び他の自動車に取り付けられる。即ち、機器がバッテリーより一度外され、再びバッテリに接続される。このバッテリ接続状態の変化を電源の変動により検出し、この状態が検出されたときに上記セキュリティシステムを実行し、正しい暗証コードが入力されない限り機器が起動しないようにしている。
【０００３】
しかしながら、オーディオ機器において、全ての機器が多数の数字キーを備えているとは限らず、その場合暗証コードの種類が少なくなって、セキュリティの性能が低下してしまう。また、数字以外のキーを用いて暗証コードを入力することが考えられるが、操作が複雑となり、また暗証コードが数字ではなくなるのでユーザにとって記憶しにくいものとなる。
【０００４】
また、別の形態として、セキュリティシステムが動作してロックがかかった場合、ユーザが機器をディーラーに持ち込み、ディーラーはマスターコードを機器のスイッチを操作することにより入力しロックを解除していた。しかし、このような場合、ユーザが直接ロック解除操作ができないようにするため、非常に複雑な操作を行わなければならず、ディーラーの担当者が手こずる場合がある。一方、マスターコードが外部に漏れる危険もある。
【０００５】
さらに、別の形態として、記録媒体としてＣＤに記録された信号を再生する機能を有するオーディオ機器の場合、コンパクトディスク（ＣＤ）等のＴＯＣ（ＴＡＢＬＥ  ＯＦ  ＣＯＮＴＥＮＴ）  情報を利用したセキュリティシステムが提案されている。これは、機器がセキュリティロック状態になった時、セキュリティモード設定時に使用したＣＤ又はそれと同一のＣＤをオーディオ機器のＣＤプレイヤーに挿入し、セキュリティ装置が挿入されたＣＤからＴＯＣ情報を読み込み、これがメモリに記録されたＴＯＣ情報と一致すれば動作不能状態を解除するものである。しかし、この場合もディスク又はディスクを再生する装置に欠陥があってＴＯＣ情報の読み込みができず、セキュリティロックを解除できないことが生じる。
【０００６】
【発明が解決しようとする課題】
従って、本発明の目的は、マスターコードを開示することなく、ディーラーの担当者がセキュリティロックされた機器を簡単な操作で解除できるシステム及びそのための治具を得ることである。
【０００７】
【課題を解決するための手段】
本発明セキュリティロック解除システムは、セキュリティロック信号を記憶する記憶手段を有する機器、及び該機器とは別体に構成され、前記記憶手段に記憶されたセキュリティ信号を初期化するコマンドを内蔵するセキュリティロック解除冶具を有し、前記機器に前記セキュリティロック解除冶具を接続し、前記コマンドを前記冶具から前記器具の検知記憶手段に送信することにより、セキュリティロックを解除するセキュリティロック解除システムであって、
前記セキュリティロック解除冶具は、セキュリティロック解除可能回数設定手段及び該設定された回数を記憶する回数記憶手段、及び前記コマンドが送信される度に解除可能回数が減算されて記憶された前記解除可能回数が０となった後は解除動作を停止する解除動作停止手段を有し、
前記機器及び前記セキュリティロック解除冶具とは別体に構成され、前記セキュリティロック解除冶具に解除可能回数の初期値を設定するための回数設定ユニットと、前記セキュリティロック解除冶具に設けられ、前記回数設定ユニットを接続するための接続部とをさらに備え、
前記セキュリティロック解除可能回数設定手段は、前記接続部に前記回数設定ユニットが接続されている場合は、前記回数記憶手段に解除可能回数の初期値を設定する回数設定手段として機能する構成を有している。
【０００８】
本発明セキュリティロック解除冶具は、機器に記憶されたセキュリティロック信号を初期化するコマンドを内蔵し、該コマンドを前記機器に出力することによって、前記機器のセキュリティロックを解除するものであり、
セキュリティロック解除可能回数設定手段、該設定された回数を記憶する回数記憶手段、及び前記コマンドを出力する度に解除可能回数が減算され記憶された前記解除可能回数が０となった後は解除動作を停止する解除動作停止手段を有し、
前記セキュリティロック解除冶具は、該セキュリティロック解除冶具とは別体に構成され、該セキュリティロック解除冶具に解除可能回数の初期値を設定するための回数設定ユニットを接続するための接続部をさらに備え、
前記セキュリティロック解除可能回数設定手段は、前記接続部に前記回数設定ユニットが接続されている場合は、前記回数記憶手段に解除可能回数の初期値を設定する回数設定手段として機能する構成を有している。
【０００９】
さらに、セキュリティロック解除可能回数設定手段は回数設定ユニットとの接続部を備え、かつ該回数設定ユニットから受けるべき電圧の組み合わせパターンを内蔵しており、前記回数設定ユニットから出力される電圧パターンが内蔵されたパターンと一致したとき、セキュリティロック解除治具は回数設定手段として機能する。
【００１０】
また、セキュリティロック解除可能回数設定手段は、前記回数設定ユニットから出力される電圧パターンが内蔵されたパターンと一致しないとき回数設定手段として機能せず、セキュリティロック解除治具として機能する。
【００１１】
【発明の実施の形態】
図１は本発明のセキュリティロック解除システムの構成を示す図である。図において１はセキュリティロックの対象となる、例えば車載用オーディオ機器、２はセキュリティロック解除治具、３は回数設定ユニットである。オーディオ機器はマイコン１１、通信Ｉ／Ｆ用ＩＣ１２、メモリＩＣ１３を備えており、コネクタ１４を介して車両のアクセサリ用電源Ａｃｃ（例えば、１３Ｖ）、及びメモリ保存のためにバッテリーＢｕ  に接続されている。また、別のコネクタ１５はセキュリティロック解除治具２に接続される。
【００１２】
セキュリティロック解除治具２は、マイコン２１、メモリＩＣ２２、通信Ｉ／Ｆ用ＩＣ２３、解除操作用スイッチ（ＳＷ）２４、表示装置２５、レギュレータ２６を備えており、コネクタ２７を介してオーディオ機器１に接続される。また、別のコネクタ２８は回数設定ユニット３に接続される。レギュレータ２６はコネクタ２７を介してオーディオ機器１から受けた電源ラインｌｐ  と接地ラインｌｅ  の電圧（  例えば、１３Ｖ）を、例えば５Ｖに下げて電源ラインｌｐ１と接地ラインｌｅ１を介してマイコン２１等に供給する。
【００１３】
回数設定ユニット３は抵抗Ｒ１１〜Ｒ４２を備えており、コネクタ３１を介してセキュリティロック解除治具２に接続される。
次に本発明のセキュリティロック解除のシステムの動作を説明する。まず、セキュリティロックの動作について車載用オーディオ機器の場合を例にとって説明する。自動車よりオーディオ機器１が盗まれるとき、オーディオ機器１はバッテリより一度取り外される。するとマイコン１１はこのバッテリの接続状態の変化を電源の変動により検出し、セキュリティロック信号としてオーディオ機器１のメモリＩＣ１３に記憶する。そして、オーディオ機器１が他の自動車に取り付けられ、再度バッテリと接続されるとセキュリティロックシステムはバッテリが一度取り外されたことが記憶されていることを条件として、セキュリティロック動作を実行する。このセキュリティロック動作が実行されると、オーディオ機器１は動作不能状態となり、各種スイッチ操作を受け付けなくなる。即ち、電源が一度ＯＦＦされ次にオーディオ機器１がＯＮされるとマイコン１１がこれを検知し、メモリＩＣ１３にバッテリが取り外されたという情報が記憶されていればマイコン１１はセキュリティロックを実行する。
【００１４】
また、電源がオーディオ機器に接続されたことのみを検知してセキュリティロック機能を動作させることもできる。この場合、オーディオ機器が電源に接続されている時、そのように動作するよう情報をセキュリティシステムにユーザが書き込んでおく。電源が接続されるという動作は、その前に電源が外されていたことを意味している。従って、オーディオ機器がバッテリーより一度外され、再度バッテリーに接続された時はこれを検知してセキュリティロックが動作し、オーディオ機器は動作不能状態となる。
【００１５】
次に、セキュリティロックの解除動作について説明する。オーディオ機器１がセキュリティロックされているとする。まず、セキュリティロック解除治具２のコネクタ２７をオーディオ機器１のコネクタ１５に接続する。そして、解除操作用スイッチ（ＳＷ）２４を押す。するとマイコン２１からセキュリティロック解除コマンドを送信するよう通信Ｉ／Ｆ用ＩＣ２３に指令する。このコマンドはセキュリティロック解除治具２のマイコン２１のプログラムＲＯＭの中に予め納められている。通信Ｉ／Ｆ用ＩＣ２３はこれを受けてセキュリティロック解除コマンドをコネクタ２７を介してオーディオ機器１に送信する。オーディオ機器１ではコネクタ１５を介して通信Ｉ／Ｆ用ＩＣ１２がセキュリティロック解除コマンドを受信し、マイコン１１にこのコマンドを出力する。マイコン１１はこれを受けてメモリＩＣ１３に記憶されているセキュリティロック信号のメモリを初期化し、セキュリティロックが解除される。
【００１６】
上記動作において、セキュリティロック解除治具２のメモリＩＣ２２にはセキュリティ解除可能回数が記憶されており、セキュリティロック解除動作が行われる度に上記セキュリティロック解除可能回数から減算され、この数が０になった後は解除操作用スイッチ（ＳＷ）２４を押しても解除動作は行われないようにする。これはメモリＩＣ２２から解除可能回数０である旨の信号を受けてマイコン２１が解除動作を停止するものである。
【００１７】
また、表示装置２５には上記解除動作の各段階が表示されるようになっており、解除動作の間に次のような表示がされる。まず、（１）セキュリティロック解除治具２のコネクタ２７がオーディオ機器１のコネクタ１５に接続されると、オーディオ機器１とセキュリティロック解除治具２が接続された旨が表示される。次に、（２）解除操作用スイッチ（ＳＷ）２４を押すとその旨が表示される。そして、（３）セキュリティロック解除動作が完了すると、セキュリティロックが解除された旨が表示される。
【００１８】
次に、回数設定ユニット３について説明する。回数設定ユニット３はセキュリティロック解除治具２から電源を供給されている。抵抗Ｒ１１、Ｒ１２、Ｒ２１、Ｒ２２、Ｒ３１、Ｒ３２、Ｒ４１、Ｒ４２はそれぞれ分圧抵抗で、これら分圧抵抗によって固有の電圧値を発生するようになっている。例えば、図の出力端子ａ、ｂ、ｃ、ｄからはそれぞれ１Ｖ、２Ｖ、３Ｖ、４Ｖが出力されるように設定する。なお、図の場合には出力端子の数は４であるが、必要に応じてこの数は任意に変えることができる。この回数設定ユニット３はコネクタ３１をセキュリティロック解除治具のコネクタ２８に接続して用いる。
【００１９】
一方、セキュリティロック解除治具２のマイコン２１には、回数設定ユニット３の前記出力端子ａ、ｂ、ｃ、ｄから受けるべき電圧の組み合わせパターンが内蔵されている。
次に、回数設定ユニット３の動作について説明する。回数設定ユニット３をセキュリティロック解除治具２に接続する。その場合、回路設定ユニット３の出力端子ａ、ｂ、ｃ、ｄからの出力電圧のパターンと、セキュリティロック解除治具２のマイコン２１に組み込まれた出力端子ａ、ｂ、ｃ、ｄから受けるべき電圧の組み合わせパターンが一致した場合、セキュリティロック解除治具２はセキュリティロック解除回数設定手段として機能する。なお、このとき治具２はセキュリティロック解除手段として機能しない。従って、このとき設定する回数だけＳＷ２４を押すと、セキュリティロック解除のためにＳＷ２４を押すことができる回数を設定できる。そのとき、表示装置２５には設定された回数が表示されると共に、セキュリティ解除動作が行われたとき、あと何回解除動作ができるかも表示される。
【００２０】
一方、回数設定ユニット３をセキュリティロック解除治具２に接続したとき、回路設定ユニット３の出力端子ａ、ｂ、ｃ、ｄからの出力電圧のパターンと、セキュリティロック解除治具２のマイコン２１に組み込まれた出力端子ａ、ｂ、ｃ、ｄから受けるべき電圧の組み合わせパターンが一致しなかった場合には、セキュリティロック解除治具２は解除回数設定手段として機能せず、セキュリティロック解除手段として機能する。
【００２１】
なお、マイコン２１に組み込まれた電圧の組み合せを１Ｖ、２Ｖ、３Ｖ、４Ｖとしたが、実際にはより分かりにくいパターン、例えば０．３Ｖ、４．６Ｖ、２．１Ｖ、１．７Ｖ等のパターンを用いることができる。
図２は本発明のセキュリティロック解除動作を示すフローチャートである。まず、図１のオーディオ機器１の電源がＯＮされたかどうか判断される（Ｓ１）。Ｙｅｓであれば、次にセキュリティロック解除治具２がオーディオ機器１に接続されているかどうかが判断される（Ｓ２）。Ｙｅｓであればオーディオ機器１がセキュリティロック解除治具２からセキュリティロック解除コマンドを受信したかどうか判断される（Ｓ３）。Ｙｅｓであれば、オーディオ機器１のメモリＩＣ１３に記憶されているセキュリティロック状態のメモリを初期化し、セキュリティロックが解除される。なお、各ステップにおいてＮｏである場合はセキュリティロック解除動作は行われない。
【００２２】
上記本発明のセキュリティロック解除システムは次のような使用の仕方がある。例えば、車載用オーディオ機器の場合、セキュリティロック解除治具はディーラーが保持し、ユーザがセキュリティロックされたオーディオ機器を持ち込んだときにこのセキュリティロック解除治具を用いてロック解除サービスを行う。一方、回数設定ユニットはセキュリティロック解除治具の製造者あるいは販売者が保有し、ディーラーに出荷時にロック解除回数を設定する。その場合、出荷地域や機器の取扱台数を考慮して回数を設定し、不当な使用が出来ないように回数を設定する。
【００２３】
上記説明においては、オーディオ機器を例にとって説明したが、本発明はオーディオ機器に限らず、メモリＩＣ等を利用してその機能を制限できる全ての機器に適用できるものである。
【００２４】
【発明の効果】
本発明は上記構成とすることにより、セキュリティロックが生じた場合、機器の外部コネクタに専用のセキュリティロック解除治具を接続してスイッチを押すだけでロックを解除できるので、簡単にセキュリティロックを解除することができる。また、ロック解除のためにマスターコードを必ずしも用いる必要はなく、セキュリティロック解除のためのコマンドはセキュリティロック解除治具のマイコンの中に納められているので開示する必要がなく、外部にもれることがないので不当なロック解除が行われることを阻止することができる。さらに、簡単にロック解除回数を設定できるので、セキュリティロック解除治具が盗難にあった場合でも、その治具によるロック解除回数が指定されて制限されているので、無制限に不当な使用がされることを阻止することができる。
【図面の簡単な説明】
【図１】本発明のセキュリティロック解除システムの構成を示す図である。
【図２】本発明のセキュリティロック解除動作を示すフローチャートである。
【符号の説明】
１…車載用オーディオ機器
２…セキュリティロック解除治具
１１、２１…マイコン
１２、２３…通信Ｉ／Ｆ用ＩＣ
１３、２２…メモリＩＣ
２４…解除操作用スイッチ
２５…表示装置
２６…レギュレータ
１４、１５、２７、２８、３１…コネクタ
３…回数設定ユニット
【図１】
0003553820.tif 000002
【図２】
0003553820.tif 000003